(57)【要約】【課題】上階の振動が下階に伝達されるのを抑制すると共に地震発生時の天井材の耐震性を向上させることができる建物の天井構造を得る。【解決手段】天井構造４０は、壁部２６、２８と、天井材５２と、床梁５４と、天井下地材５６と、連結部材５８と、ネジ６２とを有する。壁部２６、２８は、Ｚ方向に沿って立設されている。天井材５２は、壁部２６、２８よりも上側に配置されている。床梁５４は、天井材５２よりも上側でＹ方向に架設されている。天井下地材５６は、天井材５２に設けられている。連結部材５８は、防振ゴム１０４を備え、天井下地材５６の壁部２６、２８側の端部よりもＸ方向の内側の部位と床梁５４とをＺ方向に連結する。ネジ６２は、天井下地材５６の端部を壁部２６、２８の上端に固定する。【選択図】図１
2018150676.tif 000002
【特許請求の範囲】
【請求項１】
下階の壁部よりも建物の上下方向の上側に配置された下階の天井材と、
前記天井材よりも上側で前記上下方向と交差する横方向に架設された上階の床梁と、
前記天井材に設けられた下階の天井下地材と、
振動の伝達を抑制する弾性体を備え、前記天井下地材の前記壁部側の端部よりも前記横方向の内側の部位と前記床梁とを前記上下方向に連結する連結部材と、
前記天井下地材の前記端部を前記壁部の上端に固定する固定部材と、
を有する建物の天井構造。
【請求項２】
前記床梁は、前記連結部材が連結される第１床梁と、前記壁部の上側に配置された第２床梁とを有し、
前記天井下地材の端部を前記第２床梁に固定する補助固定部材が設けられた請求項１に記載の建物の天井構造。
【請求項３】
前記床梁は、前記連結部材が連結される第１床梁と、前記壁部の上側に配置された第２床梁とを有し、
前記連結部材は、
前記第１床梁と前記第２床梁とに架設され前記横方向に沿って延びる横架材と、
前記弾性体を備え前記横架材と前記天井下地材とを連結する連結金具と、
を有する請求項１又は請求項２に記載の建物の天井構造。
【発明の詳細な説明】
【技術分野】
【０００１】
本発明は、建物の天井構造に関する。
【背景技術】
【０００２】
特許文献１の建物の吊り天井構造は、吊りボルトに固定されたハンガーにより保持されている野縁受けと、野縁受けと交差する野縁と、野縁を野縁受けに固定するクリップとを含んで構成されている。
【先行技術文献】
【特許文献】
【０００３】
【特許文献１】特開２０１６−４４４５９号公報
【発明の概要】
【発明が解決しようとする課題】
【０００４】
建物の天井構造の１つとして、上階の振動が下階に伝わるのを抑制するために、上階の床梁とは異なる架材を用いて天井材を吊り下げた独立天井方式の構造がある。この構造では、天井材の端部と下階の壁部とが離れているために、地震発生時に天井材の端部と下階の壁部とが接触するなどして天井材に大きな衝撃力が作用する可能性がある。換言すると、建物の天井構造において、上階の振動が下階に伝達されるのを抑制すると共に地震発生時の天井材の耐震性を向上させるには、改善の余地がある。
【０００５】
本発明は、上階の振動が下階に伝達されるのを抑制すると共に地震発生時の天井材の耐震性を向上させることができる建物の天井構造を得ることが目的である。
【課題を解決するための手段】
【０００６】
第１の態様に係る建物の天井構造は、下階の壁部よりも建物の上下方向の上側に配置された下階の天井材と、前記天井材よりも上側で前記上下方向と交差する横方向に架設された上階の床梁と、前記天井材に設けられた下階の天井下地材と、振動の伝達を抑制する弾性体を備え、前記天井下地材の前記壁部側の端部よりも前記横方向の内側の部位と前記床梁とを前記上下方向に連結する連結部材と、前記天井下地材の前記端部を前記壁部の上端に固定する固定部材と、を有する。
【０００７】
第１の態様に係る建物の天井構造では、上階で発生した振動の下階への伝達が連結部材の弾性体によって抑制される。また、天井下地材の端部と壁部の上端とが固定部材によって固定されているため、上階で発生した振動が連結部材を介して天井下地材に伝達されることがあっても、この振動が壁部の剛性及び減衰作用によって低減される。このようにして、上階の振動が下階に伝達されるのを抑制することができる。さらに、天井下地材の端部と壁部の上端とが固定部材によって固定されている。このため、いわゆる独立天井方式の壁と天井材とを用いた構造に比べて、地震発生時に天井材の端部と壁部とが接触することが抑制されるので、地震発生時の天井材の耐震性を向上させることができる。
【０００８】
第２の態様に係る建物の天井構造の前記床梁は、前記連結部材が連結される第１床梁と、前記壁部の上側に配置された第２床梁とを有し、前記天井下地材の端部を前記第２床梁に固定する補助固定部材が設けられている。
【０００９】
第２の態様に係る建物の天井構造では、第２床梁と天井下地材の端部とが補助固定部材によって固定される。つまり、天井下地材の端部は、壁部に固定されるだけでなく第２床梁にも固定されるので、地震発生時の天井材の耐震性をさらに向上させることができる。
【００１０】
第３の態様に係る建物の天井構造の前記床梁は、前記連結部材が連結される第１床梁と、前記壁部の上側に配置された第２床梁とを有し、前記連結部材は、前記第１床梁と前記第２床梁とに架設され前記横方向に沿って延びる横架材と、前記弾性体を備え前記横架材と前記天井下地材とを連結する連結金具と、を有する。
【００１１】
第３の態様に係る建物の天井構造では、床梁と天井下地材とを連結しにくい場所があった場合に、横架材に沿って連結金具の位置をずらすことで、床梁と天井下地材とを連結することができる。このように、連結部材の配置が床梁の配置によって限定されにくくなるので、連結部材の設置の自由度を高めることができる。
【発明の効果】
【００１２】
以上説明したように、本発明に係る建物の天井構造は、上階の振動が下階に伝達されるのを抑制すると共に地震発生時の天井材の耐震性を向上させることができる。
【図面の簡単な説明】
【００１３】
【図１】第１実施形態に係る天井構造を示す構成図である。
【図２】第１実施形態に係る防振部及び固定部の配置を示す説明図である。
【図３】（Ａ）第１実施形態に係る固定部を妻方向から見た場合の部分拡大図であり、（Ｂ）第１実施形態に係る固定部を桁方向から見た場合の部分拡大図である。
【図４】（Ａ）第１実施形態に係る防振部を妻方向から見た場合の部分拡大図であり、（Ｂ）第１実施形態に係る防振部を桁方向から見た場合の部分拡大図である。
【図５】（Ａ）第１実施形態に係るハンガーの斜視図であり、（Ｂ）第１実施形態に係る防振金具の斜視図である。
【図６】（Ａ）第１実施形態に係るハンガーの斜視図であり、（Ｂ）第２実施形態に係るフックの斜視図である。
【図７】第２実施形態に係る防振部を妻方向から見た場合の部分拡大図である。
【図８】第２実施形態の変形例に係る防振部を妻方向から見た場合の部分拡大図である。
【発明を実施するための形態】
【００１４】
[第１実施形態]
第１実施形態に係る建物の天井構造の一例について説明する。
【００１５】
〔全体構成〕
図１には、建物の天井構造の一例としての天井構造４０が適用された建物１０の一部が示されている。天井構造４０の詳細については後述する。なお、図１では、建物１０の構成を分かり易く示すために、天井構造４０の詳細な部位の図示を簡略化して示している。以後の説明では、建物１０の桁方向をＸ方向、妻方向をＹ方向、上下方向（高さ方向）をＺ方向と称する。Ｘ方向、Ｙ方向及びＺ方向は、互いに直交する。Ｘ方向及びＹ方向は、上下方向と交差する横方向の一例である。
【００１６】
建物１０は、一例として、下階としての一階部分１２と、上階としての二階部分１４と、図示しない屋根部とを有する。また、建物１０は、図示しない基礎上に鉄骨の柱１６（図２参照）及び梁１８を組み上げた鉄骨軸組構造の躯体１５と、Ｚ方向に立設された外壁パネル２２とを含んで構成されている。梁１８は、Ｈ型鋼で構成されＸ方向に延在された床大梁２４と、床小梁としての後述する床梁５４とを含んで構成されている。床大梁２４のウェブ２４Ａには、厚さ方向に貫通する複数の貫通孔２４Ｂが形成されている。なお、図１では、床大梁２４の上フランジ及び下フランジの図示は省略している。
【００１７】
一階部分１２は、外壁パネル２２側にＺ方向に沿って立設された壁部２８と、外壁パネル２２側とはＸ方向の反対側にＺ方向に沿って立設された壁部２６と、壁部２６及び壁部２８の上側でＸ方向及びＹ方向に広がる天井部３２とを有する。壁部２６及び壁部２８の詳細については後述する。二階部分１４は、図示しない壁部と、該壁部の下側でＸ方向及びＹ方向に広がる床部３４とを有する。
【００１８】
床部３４は、床大梁２４及び床梁５４と、床大梁２４及び床梁５４の上面に敷設された床パネル３６とを含んで構成されている。床パネル３６は、一例として、軽量気泡コンクリート（ＡＬＣ）で構成されると共に、平面視で矩形の板状に形成されている。また、床パネル３６は、Ｘ方向に沿って所定の枚数で敷設されている。
【００１９】
＜壁部＞
図３（Ａ）に示すように、壁部２６は、スタッド６４と、ランナー６６と、内壁パネル６８と、内壁パネル７２とを含んで構成されている。スタッド６４は、Ｙ方向に間隔をあけて配置され、Ｚ方向に沿って直立している。ランナー６６は、Ｙ方向に沿って延在され、２つのスタッド６４の上端部を繋いでいる。また、ランナー６６は、Ｙ方向から見た場合の断面形状が、Ｚ方向の下側に向けて開口した逆Ｕ字状に形成されている。具体的には、ランナー６６は、Ｙ方向から見た場合に、Ｘ方向に沿って配置された上壁６６Ａと、上壁６６ＡのＸ方向の両端部からＺ方向の下側に向けて延在された２つの縦壁６６Ｂとを有する。
【００２０】
内壁パネル６８及び内壁パネル７２は、一例として、Ｘ方向から見た場合に矩形の板状に形成された石膏ボードで構成されている。内壁パネル６８は、一方側の縦壁６６Ｂにネイル６９によって取付けられている。内壁パネル７２は、他方側の縦壁６６Ｂに図示しないネイルによって取付けられている。内壁パネル６８と内壁パネル７２との間には、グラスウールを含む図示しない断熱材が配置されている。
【００２１】
図１に示す壁部２８は、一例として、壁部２６において内壁パネル７２が外壁パネル２２に置き換えられた構成とされている。言い換えると、壁部２８は、外壁パネル２２を除く他の構成は、壁部２６と同様の構成とされている。このため、外壁パネル２２について説明し、壁部２８における他の部材の説明を省略する。外壁パネル２２は、一例として、Ｘ方向から見た場合に矩形の板状に形成された石膏ボードで構成されている。また、外壁パネル２２は、縦壁６６Ｂにネイル６９（図３（Ａ）参照）によって取付けられている。なお、壁部２６及び壁部２８は、一階部分１２の壁の一部を構成している。
【００２２】
〔要部構成〕
次に、天井構造４０について説明する。
【００２３】
天井構造４０は、一例として、固定部４２、４４と防振部４６とを有する。固定部４２は、天井部３２のＸ方向の一端部（Ｘ方向における外壁パネル２２側とは反対側の端部）を壁部２６に固定する部位である。固定部４４は、天井部３２のＸ方向の他端部（外壁パネル２２側の端部）を壁部２８に固定する部位である。防振部４６は、天井部３２における固定部４２よりも内側（中央側）の部位と、床部３４における固定部４２よりも内側（中央側）の部位とを連結すると共に防振する部位である。
【００２４】
図２に示すように、建物１０を平面視して（Ｚ方向の上側から見て）、固定部４２、４４と防振部４６とは、Ｘ方向に並んでいる。固定部４２、４４、防振部４６は、斜線で示されている。固定部４２、固定部４４及び防振部４６は、一例として、Ｙ方向に間隔をあけてそれぞれ５箇所設けられている。
【００２５】
図３（Ａ）及び図４（Ａ）に示すように、天井構造４０は、具体的には、天井材５２と、床梁５４と、天井下地材５６と、連結部材５８と、固定部材の一例としてのネジ６２とを有する。
【００２６】
＜天井材＞
天井材５２は、壁部２６及び壁部２８よりもＺ方向の上側に配置されており、一階部分１２の天井部３２の一部を構成している。また、天井材５２は、一例として、平面視で（Ｚ方向の上側から見て）矩形の板状に形成された石膏ボードで構成されている。図示を省略するが、天井材５２は、Ｙ方向に沿って複数枚敷設されると共にＺ方向に複数枚重ねられている。そして、天井材５２は、後述する野縁８４にＺ方向の下側から重ねられ、ネイル５３（図３（Ａ）参照）によって野縁８４に取付けられている。
【００２７】
＜床梁＞
床梁５４は、二階部分１４の床部３４の一部を構成している。また、床梁５４は、第１床梁７４と２つの第２床梁７６とを有する。さらに、床梁５４は、天井材５２よりもＺ方向の上側で、Ｙ方向に並ぶ２つの床大梁２４にＹ方向に沿って架設され、床大梁２４が延在するＸ方向に対して直交するＹ方向に沿って延在されている。
【００２８】
（第１床梁）
図４（Ａ）に示す第１床梁７４は、一例として、天井材５２の壁部２６と壁部２８との間のＸ方向中央部（図１参照）に対して、Ｚ方向の上側に配置されている。また、第１床梁７４は、Ｈ型鋼で構成されており、Ｚ方向に沿って直立するウェブ７４Ａと、ウェブ７４Ａの上端部からＸ方向両側に張出された上フランジ７４Ｂと、ウェブ７４Ａの下端部からＸ方向両側に張出された下フランジ７４Ｃとを有する。
【００２９】
下フランジ７４Ｃのウェブ７４Ａに対する一方側のＸ方向中央部には、後述する吊ボルト９６が挿通される図示しない挿通孔がＺ方向に貫通して形成されている。下フランジ７４Ｃの下面から上フランジ７４Ｂの上面までの高さは、床大梁２４（図１参照）の下フランジの下面から上フランジの上面までの高さよりも低い。これにより、天井材５２の上面と下フランジ７４Ｃの下面との間には空間が形成されている。
【００３０】
（第２床梁）
図３（Ａ）に示す第２床梁７６は、壁部２６のＺ方向の上側と、壁部２８（図１参照）のＺ方向の上側とに配置されている。また、第２床梁７６は、Ｈ型鋼で構成されており、Ｚ方向に沿って直立するウェブ７６Ａと、ウェブ７６Ａの上端部からＸ方向両側に張出された上フランジ７６Ｂと、ウェブ７６Ａの下端部からＸ方向両側に張出された下フランジ７６Ｃとを有する。
【００３１】
下フランジ７６Ｃのウェブ７６Ａに対する一方側のＸ方向中央部には、後述する吊ボルト８８が挿通される図示しない挿通孔がＺ方向に貫通して形成されている。下フランジ７６Ｃの下面から上フランジ７６Ｂの上面までの高さは、床大梁２４（図１参照）の下フランジの下面から上フランジの上面までの高さよりも低い。これにより、天井材５２の上面及びランナー６６の上面と、下フランジ７６Ｃの下面との間には空間が形成されている。
【００３２】
＜天井下地材及びネジ＞
天井下地材５６は、天井材５２よりもＺ方向の上側に配置され、天井材５２に設けられている。また、天井下地材５６は、野縁受８２と、野縁８４と、クリップ８６とを含んで構成されている。
【００３３】
（野縁受）
野縁受８２は、第２床梁７６の延在方向であるＹ方向と直交するＸ方向に延在されている。また、図３（Ｂ）に示すように、野縁受８２は、Ｘ方向から見た場合の断面形状が四角筒状とされた鋼材で構成されている。さらに、図３（Ａ）に示すように、野縁受８２は、第２床梁７６に後述する吊ボルト８８及びハンガー８９によって取付けられることにより、第１床梁７４（図４（Ａ）参照）及び第２床梁７６に対するＺ方向の下側でかつ壁部２６及び壁部２８（図１参照）よりも上側に配置されている。言い換えると、野縁受８２のＸ方向の両端部は、後述する吊ボルト８８及びハンガー８９により支持されている。野縁受８２の底部には、Ｚ方向に貫通する貫通孔８２Ａ（図３（Ｂ）参照）が形成されている。
【００３４】
（野縁）
野縁８４は、野縁受８２の延在方向であるＸ方向と直交するＹ方向に延在されている。また、野縁８４は、Ｙ方向から見た場合の断面形状がＺ方向の上側に向けて開口した略Ｕ字状の鋼材で構成されている。野縁８４のＸ方向の両端部には、それぞれＺ方向の下側に向けて開口した逆Ｕ字状の被引掛部８４Ａが形成されている。また、野縁８４の底部におけるＸ方向の中央には、Ｚ方向に貫通する図示しない貫通孔が形成されている。
【００３５】
さらに、野縁８４は、野縁受８２のＺ方向の下側にＸ方向に間隔をあけて複数配置されている。野縁８４のＺ方向の下面には、天井材５２がネイル５３により固定されている。なお、複数の野縁８４のうち、壁部２６の上側及び壁部２８（図１参照）の上側に配置された野縁８４は、ネジ６２によりランナー６６の上面に固定されている。言い換えると、ネジ６２は、天井下地材５６のＸ方向の端部を壁部２６、壁部２８の上端に固定している。
【００３６】
（クリップ）
クリップ８６は、Ｙ方向に沿った平板状の上壁８６Ａと、上壁８６ＡのＹ方向の端部からＺ方向の下側に延びる縦壁８６Ｂと、縦壁８６ＢのＸ方向の両端部にそれぞれ形成されＺ方向の上側に開口するＪ字状に形成された引掛部８６Ｃとを有する。また、クリップ８６は、縦壁８６Ｂが図示しないネジ等の取付部材によって野縁受８２の側壁に固定されている。そして、クリップ８６は、野縁８４の被引掛部８４Ａが引掛部８６Ｃに引掛けられることにより、野縁８４及び天井材５２を支持している。言い換えると、野縁受８２は、クリップ８６を介して野縁８４及び天井材５２を支持している。
【００３７】
（ハンガー）
図５（Ａ）に示すように、ハンガー８９は、一例として、Ｘ方向から見た場合に略Ｊ字状に形成されている。言い換えると、ハンガー８９は、平面視で矩形板状の鋼材を３箇所で屈曲させて形成されている。ハンガー８９は、Ｙ方向に延びる上壁部８９Ａと、上壁部８９Ａの一端からＺ方向の下側へ延びる縦壁部８９Ｂと、縦壁部８９Ｂの下端からＹ方向に延びる下壁部８９Ｃと、下壁部８９Ｃの縦壁部８９Ｂ側とは反対側の端部で上側に延びる縦壁部８９Ｄとを有する。
【００３８】
上壁部８９Ａには、後述する吊ボルト８８が挿通される挿通孔８９Ｅが形成されている。下壁部８９Ｃには、ネジ６２がＺ方向に挿通される図示しない貫通孔が形成されている。縦壁部８９Ｂと縦壁部８９ＤとはＹ方向に対向している。縦壁部８９Ｂと縦壁部８９Ｄとの間隔の大きさは、野縁受８２（図３（Ｂ）参照）のＹ方向の幅の大きさよりも僅かに大きい。そして、ハンガー８９は、下壁部８９Ｃ上に野縁受８２が載置されることにより、野縁受８２を支持している。
【００３９】
（吊ボルト）
図３（Ａ）に示す吊ボルト８８は、丸鋼の軸方向（長さ方向）の全体にネジが切られたボルトであり、固定対象の固定位置（固定高さ）の調整が可能となっている。また、吊ボルト８８は、Ｚ方向を軸方向として、野縁受８２のＸ方向の端部に設けられている。吊ボルト８８のＺ方向の上部は、第２床梁７６の下フランジ７６Ｃに複数のナット９２を用いて固定されている。吊ボルト８８のＺ方向の下部には、ハンガー８９の上壁部８９Ａが複数のナット９４を用いて固定されている。
【００４０】
ここで、野縁受８２のＸ方向の両端部は、吊ボルト８８及びハンガー８９を用いて、第２床梁７６に対して固定され、吊り下げられた状態とされている。そして、野縁８４及び天井材５２は、野縁受８２に支持されている。言い換えると、吊ボルト８８及びハンガー８９は、天井下地材５６のＸ方向（延在方向）のそれぞれの端部を第２床梁７６に固定する補助固定部材の一例である。
【００４１】
既述のように、天井材５２のＸ方向の両端部は、壁部２６（図１参照）及び壁部２８に固定されている。つまり、天井材５２は、壁部に固定されていない独立天井ではなく、非独立天井とされている。
【００４２】
＜連結部材＞
図４（Ａ）、（Ｂ）に示すように、連結部材５８は、一例として、吊ボルト９６と、防振金具９７と、ネジボルト９８と、ハンガー９９とを含んで構成されている。そして、連結部材５８は、天井下地材５６のＸ方向の壁部２６、２８（図１参照）側の端部よりもＸ方向の内側の部位（本実施形態では中央部）と第１床梁７４（床梁５４）とをＺ方向に連結している。
【００４３】
（吊ボルト）
吊ボルト９６は、丸鋼の軸方向（長さ方向）の全体にネジが切られたネジボルトであり、固定対象の固定位置（固定高さ）の調整が可能となっている。また、吊ボルト９６は、Ｚ方向を軸方向として、野縁受８２のＸ方向の中央部とＺ方向に対向する位置に設けられている。吊ボルト９６のＺ方向の上部は、第１床梁７４の下フランジ７４Ｃに複数のナット９２を用いて固定されている。吊ボルト９６のＺ方向の下部は、後述するハウジング１０２の貫通孔１０２Ｂ（図５（Ｂ）参照）に挿通されている。そして、吊ボルト９６の下部には、複数のナット９４を用いてハウジング１０２が固定されている。
【００４４】
（防振金具）
防振金具９７は、吊ボルト９６を介して第１床梁７４の下フランジ７４Ｃに連結されている。図５（Ｂ）に示すように、防振金具９７は、一例として、ハウジング１０２と、弾性体の一例としての防振ゴム１０４と、ワッシャ１０６とで構成されている。ハウジング１０２は、Ｙ方向から見た場合に矩形の枠状に形成された鋼材で構成されており、Ｚ方向に対向する底壁及び上壁と、Ｘ方向に対向する２つの側壁とを有する。ハウジング１０２の底壁には、Ｚ方向に貫通した貫通孔１０２Ａが形成されている。ハウジング１０２の上壁には、Ｚ方向に貫通した貫通孔１０２Ｂが形成されている。
【００４５】
防振ゴム１０４は、ハウジング１０２の底壁の上面に固定された円柱状の上部１０４Ａと、底壁の下面に固定された円錐台状の下部１０４Ｂとを有する。上部１０４Ａの上面には、ワッシャ１０６が取付けられている。また、防振ゴム１０４には、Ｚ方向に貫通する貫通孔１０４Ｃが形成されている。貫通孔１０４Ｃは、貫通孔１０２Ａ及びワッシャ１０６の貫通孔１０６Ａと連通しており、後述するネジボルト９８（図４（Ａ）参照）を挿通可能な大きさとされている。防振ゴム１０４は、ハウジング１０２において、Ｚ方向の振動の伝達を抑制する（振動を減衰させる）ようになっている。
【００４６】
（ネジボルト）
図４（Ａ）に示すネジボルト９８は、一例として、吊ボルト９６と同様の構成とされているが、吊ボルト９６よりも軸方向（Ｚ方向）の長さが短い点が吊ボルト９６とは異なっている。また、ネジボルト９８は、貫通孔１０２Ａ（図５（Ｂ）参照）に挿通されると共に複数のナット９４が螺合されることにより、防振金具９７とハンガー９９とを連結している。
【００４７】
（ハンガー）
図６（Ａ）に示すように、ハンガー９９は、一例として、Ｘ方向から見た場合に略Ｊ字状に形成されている。言い換えると、ハンガー９９は、平面視で矩形板状の鋼材を３箇所で屈曲させて形成されている。ハンガー９９は、Ｙ方向に延びる上壁部９９Ａと、上壁部９９Ａの一端からＺ方向の下側へ延びる縦壁部９９Ｂと、縦壁部９９Ｂの下端からＹ方向に延びる下壁部９９Ｃと、下壁部９９Ｃの縦壁部９９Ｂ側とは反対側の端部で上側に延びる縦壁部９９Ｄとを有する。
【００４８】
上壁部９９Ａには、ネジボルト９８（図４（Ａ）参照）が挿通される挿通孔１０１が形成されている。下壁部９９Ｃには、図示しないネジがＺ方向に挿通される貫通孔１０３が形成されている。また、縦壁部９９Ｂと縦壁部９９ＤとはＹ方向に対向している。縦壁部９９Ｂと縦壁部９９Ｄとの間隔の大きさは、野縁受８２（図４（Ｂ）参照）のＹ方向の幅の大きさよりも僅かに大きい。そして、ハンガー９９は、下壁部９９Ｃ上に野縁受８２が載置されることにより、野縁受８２を支持している。野縁受８２は、図示しないネジにより下壁部９９Ｃに固定されている。なお、図４（Ａ）に示すように、野縁受８２における連結部材５８が設けられた部位では、一例として、クリップ８６（図３（Ａ）参照）が用いられておらず、野縁受８２と野縁８４とが別体として存在している。
【００４９】
図４（Ｂ）に示すように、ハウジング１０２の上部は、貫通孔１０２Ｂに吊ボルト９６が挿通された状態で吊ボルト９６にナット９４を螺合させることにより、吊ボルト９６に取付けられている。また、ハウジング１０２のワッシャ１０６の上面には、ハンガー９９の上壁部９９Ａが載置されている。そして、ハウジング１０２の下部には、上壁部９９Ａの挿通孔１０１（図６（Ａ）参照）、貫通孔１０６Ａ、貫通孔１０４Ｃ及び貫通孔１０２Ａ（図５（Ｂ）参照）にネジボルト９８が挿通された状態で、ネジボルト９８にナット９４を螺合させることにより、ハンガー９９が取付けられている。そして、ハンガー９９は、野縁受８２を支持する。
【００５０】
〔作用〕
次に、第１実施形態の作用について説明する。なお、図１から図６（Ａ）までを参照して説明する。
【００５１】
天井構造４０では、二階部分１４で居住者の動作等によって振動が発生した場合に、二階部分１４から一階部分１２への振動の伝達が、連結部材５８の防振ゴム１０４によって抑制される。また、天井構造４０では、天井下地材５６のＸ方向の端部と壁部２６、２８の上端とがネジ６２によって固定されている。このため、二階部分１４で発生した振動が連結部材５８を介して天井下地材５６に伝達されることがあっても、この振動が、壁部２６、２８の剛性及び減衰作用によって低減される。このようにして、二階部分１４の振動が一階部分１２に伝達されるのを抑制することができる。
【００５２】
さらに、天井構造４０では、天井下地材５６の端部と壁部２６、２８の上端とがネジ６２によって固定されていることで、独立天井方式の壁と天井材とを用いた構造に比べて、地震発生時に天井材５２の端部と壁部２６、２８とが接触することが抑制される。これにより、地震発生時に壁部２６、２８から天井材５２に衝撃力が作用して天井材５２が落下することが抑制されるので、地震発生時の天井材５２の耐震性を向上させることができる。
【００５３】
また、天井構造４０では、第２床梁７６と天井下地材５６の端部とが吊ボルト８８によって固定される。つまり、天井下地材５６の端部は、壁部２６、２８に固定されるだけでなく、第２床梁７６にも固定されるので、地震発生時に天井下地材５６及び天井材５２が過大に変位し難くなる。これにより、地震発生時の天井材５２の耐震性をさらに向上させることができる。
【００５４】
建物１０では、天井構造４０を適用することにより、壁部２６、２８にネジ６２を用いて天井下地材５６を固定した部位について、防振のための連結部材５８を設けなくてもよい。これにより、二階部分１４の振動が一階部分１２に伝達されるのを、必要最小限の数の連結部材５８で抑制することができる。また、建物１０では、壁部２６、２８に天井下地材５６を固定するため、壁部２６、２８に天井下地材５６を固定しない構成に比べて、天井部３２の施工を行い易くなる。
【００５５】
[第２実施形態]
次に、第２実施形態に係る建物の天井構造の一例について説明する。なお、前述した第１実施形態と基本的に同一の部材、部位には、前記第１実施形態と同一の符号を付与してその説明を省略する。「基本的に同一」とは、一部の形状が異なりあるいは大きさが僅かに異なっていても、同様の機能を有する構成であれば同一の構成とみなすことを意味する。
【００５６】
図７には、第２実施形態に係る建物の天井構造の一例としての天井構造１１０が示されている。天井構造１１０は、第１実施形態の建物１０（図１参照）において、天井構造４０（図１参照）に換えて設けられている。また、天井構造１１０は、天井材５２と、床梁５４と、天井下地材５６と、連結部材１１２と、ネジ６２（図３（Ａ）参照）とを有する。
【００５７】
天井構造１１０における野縁受８２は、壁部２６（図１参照）から第１床梁７４までと、第１床梁７４から壁部２８（図１参照）までの２つに分割されている。また、野縁受８２は、上面が第１床梁７４の下フランジ７４Ｃとほぼ同じ高さとなる位置に配置される。なお、天井構造１１０では、一例として、第１床梁７４に対して壁部２６側の構造と壁部２８側の構造とが同様の構成とされている。このため、第１床梁７４に対する壁部２６側の構造について図示及び説明して、第１床梁７４に対する壁部２８側の構造の図示及び説明を省略する。
【００５８】
＜連結部材＞
連結部材１１２は、一例として、ネジボルト１１４と、フック１１６と、横架材の一例としての補強部材１１８と、ハンガー８９と、防振金具９７と、ネジボルト９８と、ハンガー９９と、ネジボルト１２２とを含んで構成されている。ハンガー８９、防振金具９７及びハンガー９９は、連結金具の一例である。そして、連結部材１１２は、天井下地材５６の壁部２６、２８（図１参照）側の端部よりもＸ方向の内側の部位と、第１床梁７４（床梁５４）とをＺ方向に連結している。
【００５９】
（ネジボルト）
ネジボルト１１４は、固定対象の固定位置（固定高さ）の調整が可能となっている。また、ネジボルト１１４のＺ方向の下部は、第１床梁７４の下フランジ７４Ｃに複数のナット９２を用いて固定されている。ネジボルト１１４のＺ方向の上部は、後述するフック１１６の貫通孔１１６Ｄ（図６（Ｂ）参照）に挿通され、複数のナット９２を用いて下壁部１１６Ｂに固定されている。
【００６０】
（フック）
図６（Ｂ）に示すように、フック１１６は、一例として、Ｘ方向から見た場合にＬ字状に形成されている。また、フック１１６は、Ｚ方向に延びる縦壁部１１６Ａと、縦壁部１１６Ａの下端からＹ方向の一方側に延びる下壁部１１６Ｂとを有する。縦壁部１１６Ａには、Ｙ方向に貫通した３つの貫通孔１１６Ｃが形成されている。貫通孔１１６Ｃの大きさは、ネジ１１７（図７参照）が挿通可能な大きさとされている。下壁部１１６Ｂには、ネジボルト１１４（図７参照）がＺ方向に挿通される貫通孔１１６Ｄが形成されている。
【００６１】
（補強部材）
図７に示す補強部材１１８は、第１床梁７４から壁部２６側の第２床梁７６（図１参照）までＸ方向に延在されている。また、補強部材１１８は、一例として、Ｘ方向から見た場合の断面形状が四角筒状とされた鋼材で構成されている。さらに、補強部材１１８のＹ方向に対向する側壁１１８ＡのＸ方向の両端部には、フック１１６及びハンガー８９を取付けるための図示しない締結孔が形成されている。
【００６２】
補強部材１１８のＸ方向における第１床梁７４側の端部には、既述のように、ネジ１１７によりフック１１６が取付けられている。そして、補強部材１１８は、フック１１６がネジボルト１１４により下フランジ７４ＣにＺ方向の上側から固定されることで、第１床梁７４側の端部が支持されている。
【００６３】
なお、図示を省略するが、補強部材１１８のＸ方向における壁部２６（図１参照）側の端部には、同様に、ネジ１１７によりフック１１６が取付けられている。そして、補強部材１１８は、フック１１６がネジボルト１１４により下フランジ７６Ｃ（図３（Ａ）参照）にＺ方向の上側から固定されることで、壁部２６側の端部が支持されている。言い換えると、補強部材１１８は、天井下地材５６よりもＺ方向の上側において、第１床梁７４と第２床梁７６とに架設され、Ｘ方向に沿って延びている。
【００６４】
また、補強部材１１８のＸ方向における両端部には、それぞれ図示しないネジによりハンガー８９が固定されている。ハンガー８９には、防振金具９７が固定されている。具体的には、防振金具９７は、防振ゴム１０４及びワッシャ１０６が設けられた部位が上側となるように配置されている。つまり、ワッシャ１０６が防振ゴム１０４よりも下側に位置している。そして、ワッシャ１０６に対して下側からハンガー８９の上壁部８９Ａが重ねられた状態で、ネジボルト９８にナット９２が螺合されることにより、防振金具９７にハンガー８９が固定されている。
【００６５】
防振金具９７の下側（防振ゴム１０４側とは反対側）には、ハンガー９９の上壁部９９Ａが固定されている。そして、ハンガー９９は、野縁受８２を支持している。このようにして、補強部材１１８は、第１床梁７４とＺ方向に対向する部分で分割された野縁受８２（天井下地材５６）を支持している（補強している）。補強部材１１８の壁部２６（図１参照）側の端部については、第１床梁７４側と同様の構成であるため、図示及び説明を省略する。
【００６６】
（ネジボルト）
ネジボルト１２２は、固定対象の固定位置（固定高さ）の調整が可能となっている。また、ネジボルト１２２は、防振金具９７にハンガー９９を固定するために用いられている。
【００６７】
ここで、ナット９２、ネジボルト１１４及びフック１１６を用いて、第１床梁７４と第２床梁７６とに補強部材１１８を架設する。続いて、ハンガー８９、ナット９２、防振金具９７、ネジボルト９８、ハンガー９９、ネジボルト１２２を用いて、補強部材１１８と野縁受８２（天井下地材５６）とを連結する。このようにして、野縁受８２が補強部材１１８に対して吊り下げられた状態となる。
【００６８】
〔作用〕
次に、第２実施形態の作用について説明する。なお、図１、図３及び図７を参照して説明する。
【００６９】
天井構造１１０では、二階部分１４で居住者の動作等によって振動が発生した場合に、二階部分１４から一階部分１２への振動の伝達が、連結部材１１２の防振ゴム１０４によって抑制される。また、天井構造１１０では、天井下地材５６のＸ方向の端部と壁部２６、２８の上端とがネジ６２によって固定されている。このため、二階部分１４で発生した振動が連結部材１１２を介して天井下地材５６に伝達されることがあっても、この振動が壁部２６、２８の剛性及び減衰作用によって低減される。このようにして、二階部分１４の振動が一階部分１２に伝達されるのを抑制することができる。
【００７０】
さらに、天井構造１１０では、天井下地材５６の端部と壁部２６、２８の上端とがネジ６２によって固定されていることで、独立天井方式の壁と天井材とを用いた構造に比べて、地震発生時に天井材５２の端部と壁部２６、２８とが接触することが抑制される。これにより、地震発生時に壁部２６、２８から天井材５２に衝撃力が作用して天井材５２が落下することが抑制されるので、地震発生時の天井材５２の耐震性を向上させることができる。
【００７１】
また、天井構造１１０では、第２床梁７６と天井下地材５６の端部とがネジボルト１１４によって固定される。つまり、天井下地材５６の端部は、壁部２６、２８に固定されるだけでなく、第２床梁７６にも固定されるので、地震発生時に天井下地材５６及び天井材５２が過大に変位し難くなる。これにより、地震発生時の天井材５２の耐震性をさらに向上させることができる。
【００７２】
加えて、天井構造１１０では、床梁５４と天井下地材５６とを連結しにくい場所があった場合に、補強部材１１８に沿って（Ｘ方向に）ハンガー８９、防振金具９７及びハンガー９９の位置をずらすことで、床梁５４と天井下地材５６とを連結することができる。このように、ハンガー８９、防振金具９７及びハンガー９９の配置が床梁５４の配置によって規制されにくくなるので、ハンガー８９、防振金具９７及びハンガー９９の設置の自由度を高めることができる。
【００７３】
建物１０では、天井構造１１０を適用することにより、壁部２６、２８にネジ６２を用いて天井下地材５６を固定した部位について、防振のための連結部材１１２を設けなくてもよい。これにより、二階部分１４の振動が一階部分１２に伝達されるのを、必要最小限の数の連結部材１１２で抑制することができる。
【００７４】
なお、本発明は上記の実施形態に限定されない。
【００７５】
（変形例）
図８には、天井構造１１０（図７参照）の変形例として、天井構造１２０が示されている。天井構造１２０は、天井構造１１０において、ハンガー８９の上壁部８９Ａが防振金具９７よりもＺ方向の上側に位置するようにハンガー８９と防振金具９７とを連結（固定）すると共に、フック１１６をネジボルト１１４の上部に配置した構造とされている。このように、連結部材１１２を構成する各部材の配置を変更することで、補強部材１１８と天井下地材５６とのＺ方向の間隔を調整することができる。
【００７６】
（他の変形例）
天井構造４０において、吊ボルト８８を取り除いて、天井下地材５６を壁部２６のみに固定してもよい。
【００７７】
壁部２６、２８への天井下地材５６の固定は、天井下地材５６を直接、壁部２６、２８へ固定する構成に限らず、ブラケット等の別部材を介して固定してもよい。また、壁部２６、２８に対して野縁８４を固定せずに、野縁受８２を固定してもよい。
【００７８】
天井材５２は、石膏ボード以外の材料で構成されていてもよい。また、天井材５２はＺ方向に１枚、複数枚のいずれで配置されていてもよい。
【００７９】
連結部材５８、１１２を連結する第１床梁７４は、Ｘ方向の中央部に配置されたものに限らず、Ｘ方向の中央部に対して壁部２６側、壁部２８側に配置されたものであってもよい。また、連結部材５８、１１２を連結する第１床梁７４の数は、１つに限らず、複数あってもよい。さらに、連結部材５８、１１２は、下フランジ７４ＣのＸ方向の一方側だけでなく他方側にも連結してよい。
【００８０】
固定部材は、ネジ６２に限らず、ボルト及びナット、ビス、ネイルなどを用いてもよい。
【符号の説明】
【００８１】
１０  建物
２６  壁部
２８  壁部
４０  天井構造（建物の天井構造の一例）
５２  天井材
５４  床梁
５６  天井下地材
５８  連結部材
６２  ネジ（固定部材の一例）
７４  第１床梁
７６  第２床梁
８８  吊ボルト（補助固定部材の一例）
８９  ハンガー（補助固定部材の一例）
９７  防振金具（連結金具の一例）
９９  ハンガー（連結金具の一例）
１０４  防振ゴム（弾性体の一例）
１１０  天井構造
１１２  連結部材
１１８  補強部材（横架材の一例）
１２０  天井構造
【図１】
2018150676.tif 000003
【図２】
2018150676.tif 000004
【図３】
2018150676.tif 000005
【図４】
2018150676.tif 000006
【図５】
2018150676.tif 000007
【図６】
2018150676.tif 000008
【図７】
2018150676.tif 000009
【図８】
2018150676.tif 000010